(57)【特許請求の範囲】
【請求項１】
レンズその他の光学調節手段と、前記光学調節手段の実駆動位置を検出する位置検出手段と、前記光学調節手段の実駆動速度を検出する速度検出手段とを有するとともに、記憶手段に記憶したプリセット情報を用いる複数種類のプリセット駆動制御にプリセット位置情報、プリセット速度情報を用いて行われるプリセット駆動制御が含まれている光学装置において、
前記複数種類のプリセット駆動制御のうちいずかのプリセット駆動制御を選択するために操作される制御選択操作手段と、
前記複数種類のプリセット駆動制御が用いる複数種類のプリセット情報の前記記憶手段への記憶を指示するために操作される記憶指示操作手段とを有し、
前記記憶指示操作手段は、前記複数種類のプリセット駆動制御に対してプリセット情報の記憶指示操作を行うために共用され、かつ
前記記憶指示操作手段が操作されている状態で前記制御選択操作手段が操作されることに応じて、前記記憶手段に、前記位置検出手段により検出された前記光学調節手段の実駆動位置をプリセット位置情報として記憶させ、
前記光学調節手段が駆動され、前記記憶指示操作手段が操作されることに応じて、前記記憶手段に、少なくとも前記速度検出手段により検出された前記光学調節手段の実駆動速度をプリセット速度情報として記憶させ、
前記記憶手段にプリセット情報が記憶された後に、再度、前記制御選択操作手段の操作により該記憶されたプリセット情報を用いるプリセット駆動制御が選択されたことに応じて、この選択されたプリセット駆動制御を開始させることを特徴とする光学装置。
【請求項２】
前記光学調節手段の実駆動方向を検出する方向検出手段を有し、
前記光学調節手段が駆動され、前記記憶指示操作手段が操作されることに応じて、前記記憶手段に、少なくとも前記方向検出手段により検出された前記光学調節手段の実駆動方向をプリセット方向情報として記憶させることを特徴とする請求項１に記載の光学装置。
【請求項３】
レンズその他の光学調節手段を有する光学装置本体に装着又は接続され、前記光学調節手段の実駆動位置を検出する位置検出手段と、前記光学調節手段の実駆動速度を検出する速度検出手段とを有するとともに、記憶手段に記憶したプリセット情報を用いる複数種類のプリセット駆動制御にプリセット位置情報、プリセット速度情報を用いて行われるプリセット駆動制御が含まれている光学装置駆動ユニットにおいて、
前記複数種類のプリセット駆動制御のうちいずかのプリセット駆動制御を選択するために操作される制御選択操作手段と、
前記複数種類のプリセット駆動制御が用いる複数種類のプリセット情報の前記記憶手段への記憶を指示するために操作される記憶指示操作手段とを有し、
前記記憶指示操作手段は、前記複数種類のプリセット駆動制御に対してプリセット情報の記憶指示操作を行うために共用され、かつ
前記記憶指示操作手段が操作されている状態で前記制御選択操作手段が操作されることに応じて、前記記憶手段に、前記位置検出手段により検出された前記光学調節手段の実駆動位置をプリセット位置情報として記憶させ、
前記光学調節手段が駆動され、前記記憶指示操作手段が操作されることに応じて、前記記憶手段に、少なくとも前記速度検出手段により検出された前記光学調節手段の実駆動速度をプリセット速度情報として記憶させ、
前記記憶手段にプリセット情報が記憶された後に、再度、前記制御選択操作手段の操作により該記憶されたプリセット情報を用いるプリセット駆動制御が選択されたことに応じて、この選択されたプリセット駆動制御を開始させることを特徴とする光学装置駆動ユニット。
【請求項４】
前記光学調節手段の実駆動方向を検出する方向検出手段を有し、
前記光学調節手段が駆動され、前記記憶指示操作手段が操作されることに応じて、前記記憶手段に、少なくとも前記方向検出手段により検出された前記光学調節手段の実駆動方向をプリセット方向情報として記憶させることを特徴とする請求項３に記載の光学装置駆動ユニット。
【請求項５】
請求項１又は２に記載の光学装置と、この光学装置が装着されるテレビカメラ又はビデオカメラとを有して構成されることを特徴とするカメラシステム。
【請求項６】
請求項３又は４に記載の光学装置駆動ユニットと、この光学装置駆動ユニットが装着又は接続される光学装置本体と、この光学装置本体が装着されるテレビカメラ又はビデオカメラとを有して構成されることを特徴とするカメラシステム。
【発明の詳細な説明】
【０００１】
【発明の属する技術分野】
本発明は、テレビカメラ、ビデオカメラシステムなどに用いられる光学装置および光学装置駆動ユニットに関し、例えばＥＮＧカメラシステムなどに用いられるズームレンズ装置や駆動ユニットに関するものである。
【０００２】
【従来の技術】
テレビカメラやビデオカメラを用いての撮影では、様々な撮影の手法がとられ、その撮影のための手法をより簡単でかつ正確に実現するために様々な機能が提案されている。
【０００３】
第１に、ある決まったズーム位置に、高速でズームレンズを移動させ、そこから撮影を開始するという撮影手法がある。そしてこの撮影手法に対しては、予め任意のズーム位置をプリセット位置として記憶しておき、撮影中にスイッチがオンされることによって、ズームレンズがプリセット位置に、駆動できる最高駆動速度で移動させる機能が提案されている。本明細書では、この機能を「ファストポジションプリセットズーム制御」と称する。
【０００４】
第２に、ある決まったズーム倍率に向かって、ある決まった一定速度でズームレンズを移動させながら撮影を行うという撮影手法がある。そしてこの手法に対しては、予め任意のズーム位置をプリセット位置として記憶しておくとともに、予め任意のズームレンズの駆動速度をプリセット速度として記憶しておき、撮影中にスイッチがオンされることによって、ズームレンズをプリセット位置にプリセット速度で移動させる機能が提案されている。本明細書では、この機能を「メモリポジションプリセットズーム制御」と称する。
【０００５】
第３に、ある決まったズーム方向にある決まった一定の低速度でズームレンズを移動させながら撮影を行うという撮影手法がある。そしてこの手法に対しては、予め任意のズームレンズの駆動方向をプリセット方向として記憶しておくとともに、予め任意のズームレンズの駆動速度をプリセット速度として記憶しておき、撮影中にスイッチがオンされることによって、ズームレンズをプリセット方向にプリセット速度で移動させる機能が提案されている。本明細書では、この機能を「スピードプリセットズーム制御」と称する。
【０００６】
第４に、あるズーム位置で被写体を撮影している最中に、ズーム位置を変更し、その後また元の同じズーム位置に戻して撮影を続けるという撮影手法がある。
【０００７】
この手法に対して、予め任意のズーム位置をプリセット位置として記憶しておき、スイッチがオンされることによって、その時（元の）のズーム位置を記憶するとともに、ズームレンズをプリセット位置に移動させて撮影を可能とし、その後、上記スイッチがオフされることによって、ズームレンズをスイッチオン時に記憶した元のズーム位置に駆動して撮影を可能とする機能が提案されている。本明細書では、この機能を「ブーメランズーム制御」と称する。
【０００８】
従来、これら第１から第４の制御に代表されるいわゆるプリセット駆動制御機能を行うにあたり、記憶が必要なプリセット位置、プリセット速度およびプリセット方向等のいわゆるプリセット情報は、それぞれの機能ごとに可変抵抗器などを用いて設定されている。また、最近では、上記プリセット情報を半導体メモリなどを使用して、スイッチなどの記憶を指示するために操作される記憶指示操作手段の操作に応じて記憶するものも提案されている。
【０００９】
そして、最近では、上記複数種類のプリセット駆動制御機能を併せ持つレンズ装置（光学装置）やレンズ駆動ユニット（光学装置駆動ユニット）も提案されており、この場合、上記の記憶指示操作手段、さらには各プリセット駆動制御を選択ないし開始させるスイッチ等の制御開始操作手段が、それぞれの機能ごとに設けられている。
【００１０】
【発明が解決しようとする課題】
しかしながら、光学装置等に対する多機能化や小型軽量化の要求が強い中で、複数種類のプリセット駆動制御機能を併せ持つからといってプリセット駆動制御機能ごとに記憶指示操作手段を搭載したのでは、プリセット情報を記憶する際の操作が複雑となり、また光学装置等の小型軽量化を妨げるという問題がある。
【００１１】
【課題を解決するための手段】
上記の課題を解決するために、本発明では、レンズその他の光学調節手段と、光学調節手段の実駆動位置を検出する位置検出手段と、光学調節手段の実駆動速度を検出する速度検出手段とを有するとともに、記憶手段に記憶したプリセット情報を用いる複数種類のプリセット駆動制御にプリセット位置情報、プリセット速度情報を用いて行われるプリセット駆動制御が含まれている光学装置において、複数種類のプリセット駆動制御のうちいずかのプリセット駆動制御を選択するために操作される制御選択操作手段と、複数種類のプリセット駆動制御が用いる複数種類のプリセット情報の記憶手段への記憶を指示するために操作される記憶指示操作手段とを有する。そして、記憶指示操作手段は、複数種類のプリセット駆動制御に対してプリセット情報の記憶指示操作を行うために共用され、かつ記憶指示操作手段が操作されている状態で制御選択操作手段が操作されることに応じて、記憶手段に、位置検出手段により検出された光学調節手段の実駆動位置をプリセット位置情報として記憶させ、光学調節手段が駆動され、記憶指示操作手段が操作されることに応じて、記憶手段に、少なくとも速度検出手段により検出された光学調節手段の実駆動速度をプリセット速度情報として記憶させる。さらに、記憶手段にプリセット情報が記憶された後に、再度、制御選択操作手段の操作により該記憶されたプリセット情報を用いるプリセット駆動制御が選択されたことに応じて、この選択されたプリセット駆動制御を開始させる。
【００１２】
【発明の実施の形態】
（第１実施形態）
図１には、本発明の第１実施形態であるレンズ装置（光学装置）の構成を示している。この図において、１は撮影者によって操作されるズームコントロールスイッチ、２はレンズ装置の変倍調整を行うズームレンズ光学系（光学調節手段）７を電動駆動するために、ズームコントロールスイッチ１の操作量に比例した駆動方向および駆動速度（駆動量や駆動位置であってもよい）を指示する指令信号を発生する指令信号発生回路である。
【００１３】
３はズームコントロールスイッチ１の操作量に対するズームレンズ光学系７の駆動速度を可変するズーム速度可変ボリューム、４は指令信号をＡ／Ｄ変換回路５に取り込むために信号レベル、シフト変換を行う指令信号演算回路である。Ａ／Ｄ変換回路５は、指令信号演算回路４から出力されるアナログ信号をディジタル信号に変換する。
【００１４】
６は本レンズ装置の動作制御を司るＣＰＵであり、前述した「ファストポジションプリセットズーム制御」、「メモリポジションプリセットズーム制御」、「スピードプリセットズーム制御」および「ブーメランズーム制御」という４種類のプリセット駆動制御も司る。このＣＰＵ６内には、これらプリセット駆動制御に用いるプリセット位置、プリセット速度およびプリセット方向の３種類のプリセット情報を記憶可能なメモリ（記憶手段）６ａが備えられている。
【００１５】
８はＣＰＵ６からズームレンズ光学系７を駆動するため出力される指令信号をディジタル信号からアナログ信号に変換するＤ／Ａ変換回路、９はＤ／Ａ変換回路８から出力される指令信号の信号レベル、シフト変換を行うＣＰＵ指令信号演算回路、１０はズームレンズ光学系７の駆動をズームコントロールスイッチ１から行うか、ＣＰＵ６から行うかを切換える指令信号切換えスイッチである。
【００１６】
１１はズームレンズ光学系７を駆動するモータ１２を作動させるための電力増幅回路、１３はズームレンズ光学系７の駆動速度に応じた速度信号を出力する速度検出器、１４は速度信号をＡ／Ｄ変換回路１５に取り込むために信号レベル、シフト変換を行う速度信号演算回路である。Ａ／Ｄ変換回路１５は、速度信号演算回路１４から出力されるアナログ信号をディジタル信号に変換する。
【００１７】
１６はズームレンズ光学系７の位置に応じた位置信号を出力する位置信号検出器（位置検出手段）、１７は位置信号をＡ／Ｄ変換回路１８に取り込むために信号レベル、シフト変換を行う位置信号演算回路である。Ａ／Ｄ変換回路１８は、位置信号演算回路１７から出力されるアナログ信号をディジタル信号に変換する。
【００１８】
２４は上記４種類のプリセット駆動制御に対して１つだけ設けられ、プリセット位置、プリセット速度およびプリセット方向の３種類のプリセット情報の記憶指示をＣＰＵ６に与えるために共用されるメモリスイッチ（記憶指示操作手段）である。
【００１９】
２０は「ファストポジションプリセットズーム制御」に対して設けられ、後述するように、メモリスイッチ２４がオン操作された後又はこれと同時にオン操作されることによりこの制御に用いるプリセット位置をメモリ６ａに記憶させるメモリ実行機能と、プリセット位置の記憶後にオン操作されることによりこの制御動作の開始および終了を指示する機能とを併せ持つファストポジションプリセットズーム（ＦＰＺ）スイッチである。
【００２０】
２１は「メモリポジションプリセットズーム制御」に対して設けられ、後述するように、メモリスイッチ２４がオン操作された後又はこれと同時にオン操作されることによりこの制御に用いるプリセット位置をメモリ６ａに記憶させる位置メモリ実行機能と、プリセット位置の記憶後にオン操作されることによりこの制御動作の開始および終了を指示する機能とを併せ持つメモリポジションプリセットズーム（ＭＰＺ）スイッチである。
【００２１】
２２は「スピードプリセットズーム制御」に対して設けられ、この制御動作の開始、終了を指示するスピードプリセットズーム（ＳＺ）スイッチである。
【００２２】
２３は「ブーメランズーム制御」に対して設けられ、後述するように、メモリスイッチ２４がオン操作された後又はこれと同時にオン操作されることによりこの制御に用いるプリセット位置をメモリ６ａに記憶させる位置メモリ実行機能と、この制御動作の開始、終了を指示するブーメランズーム（ＢＺ）スイッチである。
【００２３】
なお、これらファストポジションプリセットズームスイッチ２０、メモリポジションプリセットズームスイッチ２１、スピードプリセットズームスイッチ２２およびブーメランズームスイッチ２３が請求の範囲いう制御選択操作手段に相当する。
【００２４】
また、１９はプリセット位置、プリセット速度、プリセット方向がＣＰＵ６内のメモリ６ａに記憶されたか否かを視覚的に判断させるための表示を行うプリセット動作表示器である。
【００２５】
なお、各プリセット駆動制御用のスイッチ２０〜２３およびメモリスイッチ２４は、ズームレンズ光学系７や不図示のフォーカスレンズ光学系を有するレンズ装置本体に一体的に設けてもよいし、レンズ装置本体にケーブル等を介して接続され、ズームコントロールスイッチ１に代わるサムリング等を備えるズームデマンド（外部コントロールユニット）に設けてもよい。
【００２６】
また、上記構成のうちズームレンズ光学系７を除く構成部分、すなわちズームコントロールスイッチ１、ＣＰＵ６等の各回路、モータ１２、速度検出器１３、位置検出器１６、各プリセット駆動制御用のスイッチ２０〜２３およびメモリスイッチ２４は、ハンディタイプのレンズ装置本体に装着又は接続されて用いられるレンズ駆動ユニット（光学装置駆動ユニット）に設けてもよい。
【００２７】
このような構成のレンズ装置又はレンズ駆動ユニットにおいては、プリセット位置を記憶するための前作業としてプリセット位置までズームレンズ光学系７をモータ駆動したり、プリセット速度およびプリセット方向を記憶するためにズームレンズ光学系７を予めモータ駆動する必要がある。
【００２８】
ここでは、まずズームコントロールスイッチ１からのズームレンズ光学系７の駆動制御について説明する。ズームコントロールスイッチ１が操作されると、その操作量に比例した駆動方向および駆動速度（駆動量や駆動位置であってもよい）を指示する指令信号が指令信号発生回路２から出力される。この指令信号は、ズームコントロールスイッチ１の操作量に対するズームレンズ光学系７の駆動速度を可変するズーム速度可変ボリューム３および指令信号切換えスイッチ１０のＡ側を介して電力増幅回路１１に入力され、電力増幅回路１１によって所定レベルに増幅された後、モータ１２に入力される。これによりモータ１２が作動し、ズームレンズ光学系７が駆動される。
【００２９】
プリセット位置を記憶する際に必要なズームレンズ光学系７の位置は、位置検出器１６からの出力が位置信号演算回路１７およびＡ／Ｄ変換回路１８を介してＣＰＵ６に入力されることにより検出可能である。
【００３０】
また、プリセット速度およびプリセット方向を記憶する際に必要なズームレンズ光学系７の実駆動速度および実駆動方向は、速度検出器１３からの出力が、速度信号演算回路１４およびＡ／Ｄ変換回路１５を介してＣＰＵ６に入力されることにより検出可能である。
【００３１】
さらに、後述するように、プリセット速度およびプリセット方向を記憶する際に必要なズームコントロールスイッチ１が操作されたか否かの判断は、ズームコントロールスイッチ１の操作量に比例した指令信号が指令信号発生回路２から出力され、ズーム速度可変ボリューム３、指令信号演算回路４およびＡ／Ｄ変換回路５を介してＣＰＵ６に入力されることにより可能である。
【００３２】
次に、上記各プリセット駆動制御を実行する上で必要な各種プリセット情報の記憶設定手順について順に説明する。
【００３３】
まず、「ファストポジションプリセットズーム制御」に用いるプリセット位置の記憶設定手順について説明する。
【００３４】
この記憶設定手順では、撮影者が予めプリセットしたい位置にズームレンズ光学系７を移動させておき、その後メモリスイッチ２４をオンした状態で、ファストポジションプリセットズームスイッチ２０をオフからオンにしたときのズームレンズ光学系７の位置（位置検出器１６を通じて検出された実位置）をプリセット位置としてＣＰＵ６が記憶する。
【００３５】
この時のＣＰＵ６の処理を図２を用いて説明する。まず、初期設定として、メモリ６ａ内に構成されたファストポジションプリセットズーム位置メモリ領域にプリセット位置としてＷＩＤＥ端などの所定のズーム位置を記憶する（ステップ１０１）。この初期設定時のプリセット位置は、レンズ装置の電源投入時のズームレンズ光学系７の位置や撮影者の希望するズームレンズ光学系７の位置でも、前回のレンズ装置の電源投入がされている最中に設定されたズームレンズ光学系７の位置でもよい。
【００３６】
次に、Ａ／Ｄ変換回路１８からズームレンズ光学系７の位置を取得する（ステップ１０２）。続いて、メモリスイッチ２４がオンされているか否かを判断し（ステップ１０３）、メモリスイッチ２４がオンされていない場合には、再びＡ／Ｄ変換回路１８からズームレンズ光学系７の位置を取得する（ステップ１０２）。
【００３７】
メモリスイッチ２４がオンされている場合には、ファストポジションプリセットズームスイッチ２０がオフからオンに状態が変化したか否かを判断し（ステップ１０４）、ファストポジションプリセットズームスイッチ２０がオフからオンに状態が変化していない場合には、ステップ１０２に戻る。
【００３８】
ファストポジションプリセットズームスイッチ２０がオフからオンに状態が変化している場合には、プリセット位置の記憶処理が行われていることを表示するために、プリセット動作表示器１９をオンし（ステップ１０５）、ステップ１０２で取得したズームレンズ光学系７の位置を新たなプリセット位置として、ファストポジションプリセットズーム位置メモリ領域に記憶する（ステップ１０６）。その後、プリセット動作表示器１９をオフする（ステップ１０７）。
【００３９】
なお、こうしてプリセット位置の記憶を終了し、ズームコントロールスイッチ１の操作によってズームレンズ光学系７が移動して撮影が開始された後、ファストポジションプリセットズームスイッチ２０が再度オンされることによって、ズームレンズ光学系７がプリセット位置に最高駆動速度等で駆動される。
【００４０】
次に、「メモリポジションプリセットズーム制御」に用いるプリセット位置の記憶設定手順について説明する。
【００４１】
この記憶設定手順では、撮影者が予めプリセットしたい位置にズームレンズ光学系７を移動させておき、その後メモリスイッチ２４をオンした状態で、メモリポジションプリセットズームスイッチ２１をオフからオンにした時のズームレンズ光学系７の位置（位置検出器１６を通じて検出された実位置）をプリセット位置としてＣＰＵ６が記憶する。
【００４２】
この時のＣＰＵ６の処理を図３を用いて説明する。まず、初期設定としてメモリ６ａに構成されたメモリポジションプリセットズーム位置メモリ領域にプリセット位置としてＷＩＤＥ端などの所定のズーム位置を記憶する（ステップ２０１）。この初期設定時のプリセット位置は、レンズ装置の電源投入時のズームレンズ光学系７の位置や撮影者の希望するズームレンズ光学系７の位置でも、前回のレンズ装置の電源投入がされている最中に設定されたズームレンズ光学系７の位置でもよい。
【００４３】
次に、Ａ／Ｄ変換回路１８からズーム位置を取得する（ステップ２０２）。続いて、メモリスイッチ２４がオンされているか否かを判断し（ステップ２０３）、メモリスイッチ２４がオンされていない場合には、再びＡ／Ｄ変換回路１８からズームレンズ光学系７の位置を取得する（ステップ２０２）。
【００４４】
メモリスイッチ２４がオンされている場合には、メモリポジションプリセットズームスイッチ２１がオフからオンに状態が変化したか否かを判断し（ステップ２０４）、メモリポジションプリセットズームスイッチ２１がオフからオンに状態が変化していない場合には、ステップ２０２に戻る。
【００４５】
メモリポジションプリセットズームスイッチ２１がオフからオンに状態が変化している場合には、プリセット位置の記憶処理が行われていることを表示するために、プリセット動作表示器１９をオンし（ステップ２０５）、ステップ２０２で取得したズームレンズ光学系７の位置を新たなプリセット位置として、メモリポジションプリセットズーム位置メモリ領域に記憶する（ステップ２０６）。その後、プリセット動作表示器１９をオフする（ステップ２０７）。
【００４６】
次に、上記「メモリポジションプリセットズーム制御」に用いるプリセット速度の記憶設定手順について説明する。
【００４７】
この記憶設定手順では、撮影者がズームコントロールスイッチ１を操作し、予めプリセットしたい速度でズームレンズ光学系７を駆動した状態で、メモリスイッチ２４をオフからオンにした時のズームレンズ光学系７の駆動速度（速度検出器１３を通じて検出したズームレンズ光学系７の実駆動速度）をプリセット速度としてＣＰＵ６が記憶する。
【００４８】
この時のＣＰＵ６の処理を図４を用いて説明する。まず、初期設定としてメモリ６ａ内に構成されたプリセット速度メモリ領域にプリセット速度として最高速などの所定のズーム駆動速度を記憶する（ステップ２１１）。この初期設定時のプリセット速度は、撮影者の希望するズーム駆動速度でも、前回のレンズ装置の電源投入がされている最中に設定したズーム駆動速度でもよい。
【００４９】
次に、Ａ／Ｄ変換回路１５からズームレンズ光学系７の駆動速度を取得する（ステップ２１２）。その後、Ａ／Ｄ変換回路５のデータを取得して、ズームコントロールスイッチ１が操作されているか否かを判断し（ステップ２１３）、ズームコントロールスイッチ１が操作されていない場合には、再びＡ／Ｄ変換回路１５からズーム速度を取得する（ステップ２１２）。
【００５０】
ズームコントロールスイッチ１が操作されていた場合には、メモリスイッチ２４がオフからオンに状態が変化したか否かを判断し（ステップ２１４）、メモリスイッチ２４がオフからオンに状態が変化していない場合には、ステップ２１２に戻る。
【００５１】
メモリスイッチ２４がオフからオンに状態が変化している場合には、プリセット速度の記憶処理が行われていることを表示するために、プリセット動作表示器１９をオンし（ステップ２１５）、ステップ２１２で取得したズームレンズ光学系７の速度を新たなプリセット速度として、プリセット速度メモリ領域に記憶する（ステップ２１６）。その後、プリセット動作表示器１９をオフする（ステップ２１７）。なお、このとき、ズームレンズ光学系７の駆動すべき方向もメモリ６ａに記憶させるようにしてもよい。
【００５２】
なお、こうしてプリセット位置およびプリセット速度（および方向）の記憶を終了し、ズームコントロールスイッチ１の操作によってズームレンズ光学系７が移動して撮影が開始された後、メモリポジションプリセットズームスイッチ２１が再度オンされることによって、ズームレンズ光学系７がプリセット位置までプリセット速度で駆動される。
【００５３】
次に、「スピードプリセットズーム制御」に用いるプリセット速度およびプリセット方向の記憶設定手順について説明する。
【００５４】
この記憶設定手順では、撮影者がズームコントロールスイッチ１を操作し、予めプリセットしたい速度および方向でズームレンズ光学系７を駆動した状態で、メモリスイッチ２４をオフからオンにした時のズームレンズ光学系７の駆動速度（速度検出器１３を通じて検出されたズームレンズ光学系７の実駆動速度）をプリセット速度として、また、ズームレンズ光学系７の駆動方向（速度検出器１３の出力から得られたズームレンズ光学系７の実駆動方向）をプリセット方向としてＣＰＵ６が記憶する。
【００５５】
次に、この時のＣＰＵ６の処理を図５を用いて説明する。まず、初期設定としてメモリ６ａ内に構成されたプリセット速度メモリ領域にプリセット速度として最高速などの所定のズーム駆動速度を記憶する（ステップ３０１）。この初期設定時のプリセット速度は、撮影者の希望するズーム駆動速度でも、前回のレンズ装置の電源投入がされている最中に設定したズーム駆動速度でもよい。
【００５６】
また、初期設定としてメモリ６ａ内に構成されたプリセット方向メモリ領域にプリセット方向として望遠側、広角側などの所定のズーム駆動方向を記憶する（ステップ３０２）。この初期設定時のプリセット方向は、撮影者の希望するズーム駆動方向でも、前回のレンズ装置の電源が投入されている最中に設定したズーム駆動方向でもよい。
【００５７】
次に、Ａ／Ｄ変換回路１５からズームレンズ光学系７の駆動速度および駆動方向を取得する（ステップ３０３）。その後、Ａ／Ｄ変換回路５のデータを取得して、ズームコントロールスイッチ１が操作されているか否かを判断し（ステップ３０４）、ズームコントロールスイッチ１が操作されていない場合には、再びＡ／Ｄ変換回路１５からズーム速度およびズーム方向を取得する（ステップ３０３）。
【００５８】
ズームコントロールスイッチ１が操作されていた場合には、メモリスイッチ２４がオフからオンに状態が変化したか否かを判断し（ステップ３０５）、メモリスイッチ２４がオフからオンに状態が変化していない場合には、ステップ３０３に戻る。
【００５９】
メモリスイッチ２４がオフからオンに状態が変化している場合には、プリセット速度およびプリセット方向の記憶処理が行われていることを表示するために、プリセット動作表示器１９をオンし（ステップ３０６）、ステップ３０３で取得したズーム速度を新たなプリセット速度として、プリセット速度メモリ領域に記憶する（ステップ３０７）。さらに、ステップ３０３で取得したズーム方向を新たなプリセット方向として、プリセット方向メモリ領域に記憶する（ステップ３０８）。その後、プリセット動作表示器１９をオフする（ステップ３０９）。
【００６０】
なお、こうしてプリセット速度およびプリセット方向の記憶を終了し、撮影が開始された後、スピードプリセットズームスイッチ２２がオンされることにより、ズームレンズ光学系７がプリセット方向にプリセット速度で駆動される。
【００６１】
次に、「ブーメランズーム制御」に用いるプリセット位置の記憶設定手順について説明する。
【００６２】
この記憶設定手順では、撮影者が予めプリセットしたい位置にズームレンズ光学系７を移動させた後、メモリスイッチ２４をオンした状態で、ブーメランズームスイッチ２３をオフからオンにした時のズームレンズ光学系７の位置（位置検出器１６を通じて検出されたズームレンズ光学系７の実位置）をプリセット位置としてＣＰＵ６が記憶する。
【００６３】
この時のＣＰＵ６の処理を図６を用いて説明する。まず、初期設定としてメモリ６ａ内に構成されたブーメランズーム位置メモリ領域にプリセット位置としてＷＩＤＥ端などの所定のズーム位置を記憶する（ステップ４０１）。この初期設定時のプリセット位置は、レンズ装置の電源投入時のズームレンズ光学系７の位置や撮影者の希望するズームレンズ光学系７の位置でも、前回のレンズ装置の電源投入がされている最中に設定したズームレンズ光学系７の位置でもよい。
【００６４】
次に、Ａ／Ｄ変換回路１８からズームレンズ光学系７の位置を取得する（ステップ４０２）。その後、メモリスイッチ２４がオンされているか否かを判断し（ステップ４０３）、メモリスイッチ２４がオンされていない場合には、再びＡ／Ｄ変換回路１８からズームレンズ光学系７の位置を取得する（ステップ４０２）。
【００６５】
メモリスイッチ２４がオンされている場合には、ブーメランズームスイッチ２３がオフからオンに状態が変化したか否かを判断し（ステップ４０４）、ブーメランズームスイッチ２３がオフからオンに状態が変化していない場合には、ステップ４０２に戻る。
【００６６】
ブーメランズームスイッチ２３がオフからオンに状態が変化している場合には、プリセット位置の記憶処理が行われていることを表示するために、プリセット動作表示器１９をオンし（ステップ４０５）、ステップ４０２で取得したズームレンズ光学系７の位置を新たなプリセット位置として、ブーメランズーム位置メモリ領域に記憶する（ステップ４０６）。その後、プリセット動作表示器１９をオフする（ステップ４０７）。
【００６７】
なお、こうしてプリセット位置の記憶を終了し、ズームコントロールスイッチ１の操作によってズームレンズ光学系７が移動して撮影が開始された後、ブーメランズームスイッチ２３が再度オンされることによって、その時点で位置検出器１６を通じて検出されたズームレンズ光学系７の位置がメモリ６ａに記憶されるとともに、ズームレンズ光学系７がプリセット位置に最高駆動速度等で駆動される。そして、この状態のまま撮影した後、ブーメランズームスイッチ２３がオフされると、ズームレンズ光学系７がブーメランズームスイッチ２３のオン時点で記憶された元の位置に最高駆動速度等で戻り、この位置での撮影を可能とする。
【００６８】
以上説明したように、本実施形態では、４種類のプリセット駆動制御のいずれを実行しようとする場合でも、同じ１つのメモリスイッチ２４をオンすれば、各プリセット駆動制御に必要なプリセット情報をその種類（プリセット位置、プリセット速度、プリセット方向）にかかわらずメモリ６ａに記憶させることができる。したがって、従来のようにプリセット駆動制御ごとに記憶指示操作手段を設けていた場合に比べて、操作性を向上させることができるとともに、レンズ装置又はレンズ駆動ユニットの小型軽量化を図ることもできる。
【００６９】
さらに、本実施形態では、メモリスイッチ２４が操作されている状態でメモリポジションプリセットズームスイッチ２１がオンされることに応じて、そのときのズームレンズ光学系７の実駆動位置をプリセット位置情報として記憶し、ズームレンズ光学系７が駆動されている状態でメモリスイッチ２４がオンされることに応じてそのときのズームレンズ光学系７の実駆動速度をプリセット速度情報として記憶する。そして、プリセット情報が記憶された後に、再度、メモリポジションプリセットズームスイッチ２１がオンされることに応じて、該記憶されたプリセット位置情報および速度情報を用いる「メモリポジションプリセットズーム制御」を開始させることができる。
【００７０】
このように、少ない操作手段の数および簡単な操作で、プリセット位置情報に対応した位置へのプリセット速度情報に対応した速度でのズームレンズ光学系７の駆動（メモリポジションプリセットズーム制御）を再現することができる。
【００７１】
（第２実施形態）
上記第１実施形態では、プリセット速度の記憶設定手順について、撮影者がズームコントロールスイッチ１を操作し、予めプリセットしたい速度でズームレンズ光学系７を駆動した状態で、メモリスイッチ２４をオフからオンにした時のズームレンズ光学系７の駆動速度をプリセット速度としてＣＰＵ６が記憶する場合について説明した。しかし、このような手順では、プリセット速度の記憶時に、このプリセット速度が、プリセット速度を用いて実行される「メモリポジションプリセットズーム制御」と「スピードプリセットズーム制御」のうちどちらに用いられるのかを判断できない。このため、第１実施形態では、上記２つのプリセット駆動制御に対してプリセット速度を共通のものとして記憶するようにしている。
【００７２】
そこで、本実施形態では、「メモリポジションプリセットズーム制御」と「スピードプリセットズーム制御」とで互いに異なるプリセット速度を記憶設定する場合を考慮した記憶設定手順を採用している。なお、本実施形態が適用されるレンズ装置又は駆動ユニットの構成は第１実施形態と同様であり、共通する構成要素に対しては同符号を付す。
【００７３】
まず、「メモリポジションプリセットズーム制御」に用いられるプリセット速度の記憶設定手順について説明する。
【００７４】
この記憶設定手順では、撮影者がズームコントロールスイッチ１を操作し、予めプリセットしたい速度（例えば、最高速）でズームレンズ光学系７を駆動した状態であり、さらにメモリポジションプリセットズームスイッチ２１が押された状態であるときに、メモリスイッチ２４をオフからオンにした時のズームレンズ光学系７の駆動速度をプリセット速度としてＣＰＵ６が記憶する。
【００７５】
この時のＣＰＵ６の処理を図７を用いて説明する。まず、初期設定としてメモリ６ａ内に構成されたメモリポジションプリセットズーム速度メモリ領域にプリセット速度として、最高速度等の所定のズームレンズ光学系７の駆動速度を記憶する（ステップ５０１）。この初期設定時のプリセット速度は、撮影者の希望するズームレンズ光学系７の駆動速度でも、前回のレンズ装置の電源投入がされている最中に設定されたズームレンズ光学系７の駆動速度でもよい。
【００７６】
次に、Ａ／Ｄ変換回路１５からズームレンズ光学系７の駆動速度を取得する（ステップ５０２）。その後、Ａ／Ｄ変換回路５のデータを取得して、ズームコントロールスイッチ１が操作されているか否かを判断し（ステップ５０３）、ズームコントロールスイッチ１が操作されていない場合には、再びＡ／Ｄ変換回路１５からズームレンズ光学系７の駆動速度を取得する（ステップ５０２）。
【００７７】
ズームコントロールスイッチ１が操作されていた場合には、メモリポジションプリセットズームスイッチ２１がオンされているか否かを確認し（ステップ５０４）、メモリポジションプリセットズームスイッチ２１がオンされていない場合には、ステップ５０２に戻る。
【００７８】
また、メモリポジションプリセットズームスイッチ２１がオンされている場合には、メモリスイッチ２４がオフからオンに状態が変化したか否かを判断し（ステップ５０５）、メモリスイッチ２４がオフからオンに状態が変化していない場合には、ステップ５０２に戻る。
【００７９】
メモリスイッチ２４がオフからオンに状態が変化している場合には、ステップ５０２で取得したズームレンズ光学系７の駆動速度を新たなプリセット速度として、メモリポジションプリセットズーム速度メモリ領域に記憶する（ステップ５０６）。
【００８０】
なおここでは、ズームコントロールスイッチ１の操作に応じて予めプリセットしたい速度でズームレンズ光学系７を駆動し、メモリポジションプリセットズームスイッチ２１を押した状態で、メモリスイッチ２４をオフからオンにした時のズームレンズ光学系７の駆動速度をプリセット速度としてＣＰＵ６が記憶する場合について説明したが、ズームコントロールスイッチ１の操作に応じて予めプリセットしたい速度でズームレンズ光学系７を駆動し、メモリスイッチ２４を押した状態で、メモリポジションプリセットズームスイッチ２１をオフからオンにした時のズームレンズ光学系７の駆動速度をプリセット速度としてＣＰＵ６が記憶するようにしてもよい。
【００８１】
また、メモリスイッチ２４とメモリポジションプリセットズームスイッチ２１とを同時にオンした時にプリセット速度の記憶を行ってもよい。
【００８２】
また、第１実施形態と同様に、プリセット動作表示器１９をオン／オフするようにしてもよい。
【００８３】
次に、「スピードプリセットズーム制御」に用いるプリセット速度の記憶設定手順について説明する。なお、プリセット方向の記憶設定手順は、第１実施形態と同様である。
【００８４】
この記憶設定手順では、撮影者がズームコントロールスイッチ１を操作し、予めプリセットしたい速度でズームレンズ光学系７を駆動し、スピードプリセットズームスイッチ２２を押した状態で、メモリスイッチ２４をオフからオンにした時のズームレンズ光学系７の駆動速度をプリセット速度としてＣＰＵ６が記憶する。
【００８５】
この時のＣＰＵ６の処理を図８を用いて説明する。まず、初期設定としてメモリ６ａ内に構成されたスピードプリセットズーム速度メモリ領域にプリセット速度として最低速などの所定のズームレンズ光学系７の駆動速度を記憶する（ステップ６０１）。この初期設定時のプリセット速度は、撮影者の希望するズームレンズ光学系７の駆動速度でも、前回のレンズ装置の電源投入がされている最中に設定したズームレンズ光学系７の駆動速度でもよい。
【００８６】
次に、Ａ／Ｄ変換回路１５からズームレンズ光学系７の駆動速度を取得する（ステップ６０２）。その後、Ａ／Ｄ変換回路５のデータを取得して、ズームコントロールスイッチ１が操作されているか否かを判断し（ステップ６０３）、ズームコントロールスイッチ１が操作されていない場合には、再びＡ／Ｄ変換回路１５からズーム速度を取得する（ステップ６０２）。
【００８７】
ズームコントロールスイッチ１が操作されていた場合には、スピードプリセットズームスイッチ２２がオンされているか否かを確認し（ステップ６０４）、スピードプリセットズームスイッチ２２がオンされていない場合には、ステップ６０２に戻る。
【００８８】
また、スピードプリセットズームスイッチ２２がオンされている場合には、メモリスイッチ２４がオフからオンに状態が変化したか否かを判断し（ステップ６０５）、メモリスイッチ２４がオフからオンに状態が変化していない場合には、ステップ６０２に戻る。
【００８９】
メモリスイッチ２４がオフからオンに状態が変化している場合には、ステップ６０２で取得したズームレンズ光学系７の駆動速度を新たなプリセット速度として、スピードプリセットズーム速度メモリ領域に記憶する（ステップ６０６）。
【００９０】
なおここでは、ズームコントロールスイッチ１の操作に応じて予めプリセットしたい速度でズームレンズ光学系７を駆動し、スピードプリセットズームスイッチ２２を押した状態で、メモリスイッチ２４をオフからオンにした時のズームレンズ光学系７の駆動速度をプリセット速度としてＣＰＵ６が記憶する場合について説明したが、ズームコントロールスイッチ１の操作に応じて予めプリセットしたい速度でズームレンズ光学系７を駆動し、メモリスイッチ２４を押した状態で、スピードプリセットズームスイッチ２２をオフからオンにした時のズームレンズ光学系７の駆動速度をプリセット速度としてＣＰＵ６が記憶するようにしてもよい。
【００９１】
また、メモリスイッチ２４とスピードプリセットズームスイッチ２２とを同時にオンした時にプリセット速度の記憶を行ってもよい。
【００９２】
また、第１実施形態と同様に、プリセット動作表示器１９をオン／オフするようにしてもよい。
【００９３】
以上説明したように、本実施形態によれば、プリセット速度という同種類のプリセット情報を用いて実行される「メモリポジションプリセットズーム制御」および「スピードプリセットズーム制御」のそれぞれに対応するプリセット速度を記憶させることができる。このため、「メモリポジションプリセットズーム制御」および「スピードプリセットズーム制御」に対して同じプリセット速度を記させる場合に比べて、撮影手法の幅をより広げることができ、一層有意義なプリセット駆動制御機能を実現することができる。
【００９４】
（第３実施形態）
上記第１および第２実施形態では、プリセット位置、プリセット速度およびプリセット方向の３種類のプリセット情報の記憶指示操作に対して、１つのメモリスイッチ２４を共用する場合について説明したが、プリセット情報の種類に応じてメモリスイッチを異ならせてもよい。つまり、同種類のプリセット情報についてのみ１つのメモリスイッチを共用するようにしてもよい。
【００９５】
図９には、本発明の第３実施形態であるレンズ装置（光学装置）の構成を示している。なお、本実施形態において、第１実施形態と共通する構成要素については、第１実施形態と同符号を付す。また、本実施形態においても、前述した「ファストポジションプリセットズーム制御」、「メモリポジションプリセットズーム制御」、「スピードプリセットズーム制御」および「ブーメランズーム制御」という４種類のプリセット駆動制御を行うことができる。
【００９６】
この図において、２５は上記４つのプリセット駆動制御のうち、プリセット位置を用いて実行される「ファストポジションプリセットズーム制御」、「メモリポジションプリセットズーム制御」および「ブーメランズーム制御」に対して１つだけ設けられ、プリセット位置の記憶指示をＣＰＵ６に与えるために共用される位置メモリスイッチ（記憶指示操作手段）である。
【００９７】
また、２６は上記４つのプリセット駆動制御のうち、プリセット速度を用いて実行される「メモリポジションプリセットズーム制御」および「スピードプリセットズーム制御」に対して１つだけ設けられ、プリセット速度の記憶指示をＣＰＵ６に与えるために共用される速度メモリスイッチ（記憶指示操作手段）である。
【００９８】
さらに、２７は上記４つのプリセット駆動制御のうち、プリセット方向を用いて実行される「スピードプリセットズーム制御」に対して設けられ、プリセット方向の記憶指示をＣＰＵ６に与えるための方向メモリスイッチ（記憶指示操作手段）である。
【００９９】
なお、各プリセット駆動制御用のスイッチ２０〜２３およびメモリスイッチ２５〜２７は、ズームレンズ光学系７や不図示のフォーカスレンズ光学系を有するレンズ装置本体に一体的に設けてもよいし、レンズ装置本体にケーブル等を介して接続され、ズームコントロールスイッチ１に代わるサムリング等を備えるズームデマンド（外部コントロールユニット）に設けてもよい。
【０１００】
また、上記構成のうちズームレンズ光学系７を除く構成部分、すなわちズームコントロールスイッチ１、ＣＰＵ６等の各回路、モータ１２、速度検出器１３、位置検出器１６、各プリセット駆動制御用のスイッチ２０〜２３およびメモリスイッチ２５〜２７は、ハンディタイプのレンズ装置本体に装着又は接続されて用いられるレンズ駆動ユニット（光学装置駆動ユニット）に設けてもよい。
【０１０１】
このような構成のレンズ装置又はレンズ駆動ユニットにおいては、プリセット位置を記憶するための前作業としてプリセット位置までズームレンズ光学系７をモータ駆動したり、プリセット速度およびプリセット方向を記憶するためにズームレンズ光学系７を予めモータ駆動する必要がある。この点については、第１実施形態と同様である。また、ズームコントロールスイッチ１からのズームレンズ光学系７の駆動制御方法、プリセット位置を記憶する際に必要なズームレンズ光学系７の位置の検出方法およびプリセット速度・プリセット方向を記憶する際に必要なズームレンズ光学系７の駆動速度・駆動方向の検出方法については第１実施形態と同様である。
【０１０２】
次に、上記各プリセット駆動制御を実行する上で必要な各種プリセット情報の記憶設定手順について順に説明する。
【０１０３】
まず、「ファストポジションプリセットズーム制御」に用いるプリセット位置の記憶設定手順について説明する。
【０１０４】
この記憶設定手順では、撮影者が予めプリセットしたい位置にズームレンズ光学系７を移動させておき、その後位置メモリスイッチ２５をオンした状態で、ファストポジションプリセットズームスイッチ２０をオフからオンにしたときのズームレンズ光学系７の位置（位置検出器１６を通じて検出された実位置）をプリセット位置としてＣＰＵ６が記憶する。
【０１０５】
この時のＣＰＵ６の処理を図１０を用いて説明する。まず、初期設定として、メモリ６ａ内に構成されたファストポジションプリセットズーム位置メモリ領域にプリセット位置としてＷＩＤＥ端などの所定のズーム位置を記憶する（ステップ１５１）。この初期設定時のプリセット位置は、レンズ装置の電源投入時のズームレンズ光学系７の位置や撮影者の希望するズームレンズ光学系７の位置でも、前回のレンズ装置の電源投入がされている最中に設定されたズームレンズ光学系７の位置でもよい。
【０１０６】
次に、Ａ／Ｄ変換回路１８からズームレンズ光学系７の位置を取得する（ステップ１５２）。続いて、位置メモリスイッチ２５がオンされているか否かを判断し（ステップ１５３）、位置メモリスイッチ２５がオンされていない場合には、再びＡ／Ｄ変換回路１８からズームレンズ光学系７の位置を取得する（ステップ１５２）。
【０１０７】
位置メモリスイッチ２５がオンされている場合には、ファストポジションプリセットズームスイッチ２０がオフからオンに状態が変化したか否かを判断し（ステップ１５４）、ファストポジションプリセットズームスイッチ２０がオフからオンに状態が変化していない場合には、ステップ１５２に戻る。
【０１０８】
ファストポジションプリセットズームスイッチ２０がオフからオンに状態が変化している場合には、プリセット位置の記憶処理が行われていることを表示するために、プリセット動作表示器１９をオンし（ステップ１５５）、ステップ１５２で取得したズームレンズ光学系７の位置を新たなプリセット位置として、ファストポジションプリセットズーム位置メモリ領域に記憶する（ステップ１５６）。その後、プリセット動作表示器１９をオフする（ステップ１５７）。
【０１０９】
なお、こうしてプリセット位置の記憶を終了し、ズームコントロールスイッチ１の操作によってズームレンズ光学系７が移動して撮影が開始された後、ファストポジションプリセットズームスイッチ２０が再度オンされることによって、ズームレンズ光学系７がプリセット位置に最高駆動速度等で駆動される。
【０１１０】
次に、「メモリポジションプリセットズーム制御」に用いるプリセット位置の記憶設定手順について説明する。
【０１１１】
この記憶設定手順では、撮影者が予めプリセットしたい位置にズームレンズ光学系７を移動させておき、その後、位置メモリスイッチ２５をオンした状態で、メモリポジションプリセットズームスイッチ２１をオフからオンにした時のズームレンズ光学系７の位置（位置検出器１６を通じて検出された実位置）をプリセット位置としてＣＰＵ６が記憶する。
【０１１２】
この時のＣＰＵ６の処理を図１１を用いて説明する。まず、初期設定としてメモリ６ａに構成されたメモリポジションプリセットズーム位置メモリ領域にプリセット位置としてＷＩＤＥ端などの所定のズーム位置を記憶する（ステップ２５１）。この初期設定時のプリセット位置は、レンズ装置の電源投入時のズームレンズ光学系７の位置や撮影者の希望するズームレンズ光学系７の位置でも、前回のレンズ装置の電源投入がされている最中に設定されたズームレンズ光学系７の位置でもよい。
【０１１３】
次に、Ａ／Ｄ変換回路１８からズーム位置を取得する（ステップ２５２）。続いて、位置メモリスイッチ２５がオンされているか否かを判断し（ステップ２５３）、位置メモリスイッチ２５がオンされていない場合には、再びＡ／Ｄ変換回路１８からズームレンズ光学系７の位置を取得する（ステップ２５２）。
【０１１４】
位置メモリスイッチ２５がオンされている場合には、メモリポジションプリセットズームスイッチ２１がオフからオンに状態が変化したか否かを判断し（ステップ２５４）、メモリポジションプリセットズームスイッチ２１がオフからオンに状態が変化していない場合には、ステップ２５２に戻る。
【０１１５】
メモリポジションプリセットズームスイッチ２１がオフからオンに状態が変化している場合には、プリセット位置の記憶処理が行われていることを表示するために、プリセット動作表示器１９をオンし（ステップ２５５）、ステップ２５２で取得したズームレンズ光学系７の位置を新たなプリセット位置として、メモリポジションプリセットズーム位置メモリ領域に記憶する（ステップ２５６）。その後、プリセット動作表示器１９をオフする（ステップ２５７）。
【０１１６】
次に、上記「メモリポジションプリセットズーム制御」に用いるプリセット速度の記憶設定手順について説明する。
【０１１７】
この記憶設定手順では、撮影者がズームコントロールスイッチ１を操作し、予めプリセットしたい速度でズームレンズ光学系７を駆動した状態で、速度メモリスイッチ２６をオフからオンにした時のズームレンズ光学系７の駆動速度（速度検出器１３を通じて検出したズームレンズ光学系７の実駆動速度）をプリセット速度としてＣＰＵ６が記憶する。
【０１１８】
この時のＣＰＵ６の処理を図１２を用いて説明する。まず、初期設定としてメモリ６ａ内に構成されたプリセット速度メモリ領域にプリセット速度として最高速などの所定のズーム駆動速度を記憶する（ステップ２６１）。この初期設定時のプリセット速度は、撮影者の希望するズーム駆動速度でも、前回のレンズ装置の電源投入がされている最中に設定したズーム駆動速度でもよい。
【０１１９】
次に、Ａ／Ｄ変換回路１５からズームレンズ光学系７の駆動速度を取得する（ステップ２６２）。その後、Ａ／Ｄ変換回路５のデータを取得して、ズームコントロールスイッチ１が操作されているか否かを判断し（ステップ２６３）、ズームコントロールスイッチ１が操作されていない場合には、再びＡ／Ｄ変換回路１５からズーム速度を取得する（ステップ２６２）。
【０１２０】
ズームコントロールスイッチ１が操作されていた場合には、速度メモリスイッチ２６がオフからオンに状態が変化したか否かを判断し（ステップ２６４）、速度メモリスイッチ２６がオフからオンに状態が変化していない場合には、ステップ２６２に戻る。
【０１２１】
速度メモリスイッチ２６がオフからオンに状態が変化している場合には、プリセット速度の記憶処理が行われていることを表示するために、プリセット動作表示器１９をオンし（ステップ２６５）、ステップ２６２で取得したズームレンズ光学系７の速度を新たなプリセット速度として、プリセット速度メモリ領域に記憶する（ステップ２６６）。その後、プリセット動作表示器１９をオフする（ステップ２６７）。
【０１２２】
なお、こうしてプリセット位置およびプリセット速度の記憶を終了し、ズームコントロールスイッチ１の操作によってズームレンズ光学系７が移動して撮影が開始された後、メモリポジションプリセットズームスイッチ２１が再度オンされることによって、ズームレンズ光学系７がプリセット位置までプリセット速度で駆動される。
【０１２３】
また、本実施形態のように、プリセット位置およびプリセット速度について別々のメモリスイッチ２５，２６の記憶指示操作に応じて記憶処理が行われるようにすることにより、プリセット位置およびプリセット速度のうちいずれか一方のみを変更したいような場合に、その変更したいプリセット情報についてのみ再記憶処理を行うことが可能となるので、使い勝手を向上させることができる。
【０１２４】
次に、「スピードプリセットズーム制御」に用いるプリセット方向の記憶設定手順について説明する。なお、「スピードプリセットズーム制御」に用いるプリセット速度の記憶設定手順については、上述した「メモリポジションプリセットズーム制御」に用いるプリセット速度の記憶設定手順と同じである。
【０１２５】
プリセット方向の記憶設定手順では、撮影者がズームコントロールスイッチ１を操作し、予めプリセットしたい方向でズームレンズ光学系７を駆動した状態で、方向メモリスイッチ２７をオフからオンにした時のズームレンズ光学系７の駆動方向（速度検出器１３の出力から得られたズームレンズ光学系７の実駆動方向）をプリセット方向としてＣＰＵ６が記憶する。
【０１２６】
この時のＣＰＵ６の処理を図１３を用いて説明する。まず、初期設定としてメモリ６ａ内に構成されたプリセット方向メモリ領域にプリセット方向として望遠側、広角側などの所定のズーム駆動方向を記憶する（ステップ３５１）。この初期設定時のプリセット方向は、撮影者の希望するズーム駆動方向でも、前回のレンズ装置の電源が投入されている最中に設定したズーム駆動方向でもよい。
【０１２７】
次に、Ａ／Ｄ変換回路１５からズームレンズ光学系７の駆動方向を取得する（ステップ３５２）。その後、Ａ／Ｄ変換回路５のデータを取得して、ズームコントロールスイッチ１が操作されているか否かを判断し（ステップ３５３）、ズームコントロールスイッチ１が操作されていない場合には、再びＡ／Ｄ変換回路１５からズーム方向を取得する（ステップ３５２）。
【０１２８】
ズームコントロールスイッチ１が操作されていた場合には、方向メモリスイッチ２７がオフからオンに状態が変化したか否かを判断し（ステップ３５４）、方向メモリスイッチ２７がオフからオンに状態が変化していない場合には、ステップ３５２に戻る。
【０１２９】
方向メモリスイッチ２７がオフからオンに状態が変化している場合には、プリセット方向の記憶処理が行われていることを表示するために、プリセット動作表示器１９をオンし（ステップ３５５）、ステップ３５２で取得したズーム方向を新たなプリセット方向として、スピードプリセットズーム方向メモリ領域に記憶する（ステップ３５６）。その後、プリセット動作表示器１９をオフする（ステップ３５７）。
【０１３０】
なお、こうしてプリセット速度およびプリセット方向の記憶を終了し、撮影が開始された後、スピードプリセットズームスイッチ２２がオンされることにより、ズームレンズ光学系７がプリセット方向にプリセット速度で駆動される。
【０１３１】
また、本実施形態のように、プリセット速度およびプリセット方向について別々のメモリスイッチ２６，２７の記憶指示操作に応じて記憶処理が行われるようにすることにより、プリセット速度およびプリセット方向のうちいずれか一方のみを変更したいような場合に、その変更したいプリセット情報についてのみ再記憶処理を行うことが可能となり、使い勝手を向上させることができる。
【０１３２】
次に、「ブーメランズーム制御」に用いるプリセット位置の記憶設定手順について説明する。
【０１３３】
この記憶設定手順では、撮影者が予めプリセットしたい位置にズームレンズ光学系７を移動させた後、位置メモリスイッチ２５をオンした状態で、ブーメランズームスイッチ２３をオフからオンにした時のズームレンズ光学系７の位置（位置検出器１６を通じて検出されたズームレンズ光学系７の実位置）をプリセット位置としてＣＰＵ６が記憶する。
【０１３４】
この時のＣＰＵ６の処理を図１４を用いて説明する。まず、初期設定としてメモリ６ａ内に構成されたブーメランズーム位置メモリ領域にプリセット位置としてＷＩＤＥ端などの所定のズーム位置を記憶する（ステップ４５１）。この初期設定時のプリセット位置は、レンズ装置の電源投入時のズームレンズ光学系７の位置や撮影者の希望するズームレンズ光学系７の位置でも、前回のレンズ装置の電源投入がされている最中に設定したズームレンズ光学系７の位置でもよい。
【０１３５】
次に、Ａ／Ｄ変換回路１８からズームレンズ光学系７の位置を取得する（ステップ４５２）。その後、位置メモリスイッチ２５がオンされているか否かを判断し（ステップ４５３）、位置メモリスイッチ２５がオンされていない場合には、再びＡ／Ｄ変換回路１８からズームレンズ光学系７の位置を取得する（ステップ４５２）。
【０１３６】
位置メモリスイッチ２５がオンされている場合には、ブーメランズームスイッチ２３がオフからオンに状態が変化したか否かを判断し（ステップ４５４）、ブーメランズームスイッチ２３がオフからオンに状態が変化していない場合には、ステップ４５２に戻る。
【０１３７】
ブーメランズームスイッチ２３がオフからオンに状態が変化している場合には、プリセット位置の記憶処理が行われていることを表示するために、プリセット動作表示器１９をオンし（ステップ４５５）、ステップ４０２で取得したズームレンズ光学系７の位置を新たなプリセット位置として、ブーメランズーム位置メモリ領域に記憶する（ステップ４５６）。その後、プリセット動作表示器１９をオフする（ステップ４５７）。
【０１３８】
なお、こうしてプリセット位置の記憶を終了し、ズームコントロールスイッチ１の操作によってズームレンズ光学系７が移動して撮影が開始された後、ブーメランズームスイッチ２３が再度オンされることによって、その時点で位置検出器１６を通じて検出されたズームレンズ光学系７の位置がメモリ６ａに記憶されるとともに、ズームレンズ光学系７がプリセット位置に最高駆動速度等で駆動される。そして、この状態のまま撮影した後、ブーメランズームスイッチ２３がオフされると、ズームレンズ光学系７がブーメランズームスイッチ２３のオン時点で記憶された元の位置に最高駆動速度等で戻り、この位置での撮影を可能とする。
【０１３９】
以上説明したように、本実施形態では、４種類のプリセット駆動制御のうちプリセット位置を用いて実行される「ファストポジションプリセットズーム制御」、「メモリポジションプリセットズーム制御」および「ブーメランズーム制御」のいずれを実行しようとする場合でも、同じ１つの位置メモリスイッチ２５をオンすれば、プリセット位置をメモリ６ａに記憶させることができる。また、プリセット速度を用いて実行される「メモリポジションプリセットズーム制御」および「スピードプリセットズーム制御」のいずれを実行しようとする場合でも、同じ１つの速度メモリスイッチ２６をオンすれば、プリセット速度をメモリ６ａに記憶させることができる。したがって、従来のようにプリセット駆動制御ごとに記憶指示操作手段を設けていた場合に比べて、操作性を向上させることができるとともに、レンズ装置又はレンズ駆動ユニットの小型軽量化を図ることもできる。
【０１４０】
なお、本実施形態においても、第２実施形態にて説明したように、「メモリポジションプリセットズーム制御」と「スピードプリセットズーム制御」とで互いに異なるプリセット速度を記憶設定する場合を考慮した記憶設定手順を採用してもよい。
【０１４１】
また、上記各実施形態では、ズームコントロールスイッチ１が操作されていることを判別した上でプリセット速度およびプリセット方向を記憶する場合について説明したが、位置検出器から出力される位置信号の変化等を通じてズームレンズ光学系７が駆動されていることを判別した上でプリセット速度およびプリセット方向を記憶するようにしてもよい。
【０１４２】
また、上記各実施形態では、ズームレンズ光学系７の駆動速度および駆動方向の検出を速度検出器１３から出力される速度信号を用いて行う場合について説明したが、位置検出器から出力される位置信号を一定間隔で取得することによって駆動速度および駆動方向を検出したり、ズームコントロールスイッチ１の操作に比例して出力される指令信号のレベルや極性によって駆動速度および駆動方向を検出してもよい。
【０１４３】
さらに、上記各実施形態では、メモリスイッチ２４又は位置メモリスイッチ２５をオンした状態で、ファストポジションプリセットスイッチ２０等をオフからオンとすることでプリセット位置の記憶を行っていたが、メモリスイッチ２４又は位置メモリスイッチ２５とファストポジションプリセットスイッチ２０等とを同時にオンした時にプリセット位置の記憶を行うようにしてもよい。
【０１４４】
また、上記各実施形態では、４種類のプリセット駆動制御機能を併せ持つ場合について説明したが、本発明は、４種類以外の複数種類のプリセット駆動制御機能を併せ持つ場合にも適用することができる。また、プリセット駆動制御の内容は上述した４種類のもの以外のものであってもよい。
【０１４５】
さらに、上記実施形態では、メモリスイッチ２４，２５〜２７が単体のスイッチから構成される場合について説明したが、誤操作防止等のために、２つ等を１セットとしたメモリスイッチを設けて、両メモリスイッチが操作されたことに応じてプリセット情報の記憶を行わせるようにしてもよい。
【０１４６】
また、上記各実施形態では、ズームレンズ光学系に関するプリセット駆動制御を行う場合について説明したが、本発明は、ズームレンズ光学系以外の光学調節手段、例えばフォーカスレンズ光学系やアイリスに関するプリセット駆動制御を行う場合にも適用することができる。
【０１４７】
【発明の効果】
以上説明したように、本発明によれば、記憶指示操作手段が操作されている状態で制御選択操作手段が操作されることに応じてそのときの光学調節手段の実駆動位置をプリセット位置情報として記憶させ、光学調節手段が駆動されている状態で記憶指示操作手段が操作されることに応じてそのときの光学調節手段の少なくとも実駆動速度をプリセット速度情報として記憶させることができる。
【０１４８】
さらに、プリセット情報が記憶された後に、再度、制御選択操作手段を操作するだけで該記憶されたプリセット情報を用いるプリセット駆動制御を開始させることができる。
【０１４９】
このように、少ない操作手段の数および簡単な操作で、プリセット位置情報に対応した位置へのプリセット速度情報に対応した速度での光学調節手段の駆動を再現することができる。
【図面の簡単な説明】
【図１】本発明の第１実施形態であるレンズ装置の構成図。
【図２】上記レンズ装置におけるファストポジションプリセットズーム制御に用いるプリセット位置の記憶設定フローチャート。
【図３】上記レンズ装置におけるメモリポジションプリセットズーム制御に用いるプリセット位置の記憶設定フローチャート。
【図４】上記レンズ装置におけるメモリポジションプリセットズーム制御に用いるプリセット速度の記憶設定フローチャート。
【図５】上記レンズ装置におけるスピードプリセットズーム制御に用いるプリセット速度およびプリセット方向の記憶設定フローチャート
【図６】上記レンズ装置におけるブーメランズーム制御に用いるプリセット位置の記憶設定フローチャート
【図７】本発明の第２実施形態であるレンズ装置におけるメモリポジションプリセットズーム制御に用いるプリセット速度の記憶設定フローチャート。
【図８】上記第２実施形態におけるスピードプリセットズーム制御に用いるプリセット速度の記憶設定フローチャート。
【図９】本発明の第３実施形態であるレンズ装置の構成図。
【図１０】上記第３実施形態のレンズ装置におけるファストポジションプリセットズーム制御に用いるプリセット位置の記憶設定フローチャート。
【図１１】上記第３実施形態のレンズ装置におけるメモリポジションプリセットズーム制御に用いるプリセット位置の記憶設定フローチャート。
【図１２】上記第３実施形態のレンズ装置におけるメモリポジションプリセットズーム制御に用いるプリセット速度の記憶設定フローチャート。
【図１３】上記レンズ装置におけるスピードプリセットズーム制御に用いるプリセット速度およびプリセット方向の記憶設定フローチャート。
【図１４】上記レンズ装置におけるブーメランズーム制御に用いるプリセット位置の記憶設定フローチャート。
【符号の説明】
１…ズームコントロールスイッチ
２…指令信号発生回路
３…ズーム速度可変ボリューム
４…指令信号演算回路
５，１５，１８…Ａ／Ｄ変換回路
６…ＣＰＵ
７…ズームレンズ光学系
８…Ｄ／Ａ変換回路
９…ＣＰＵ指令信号演算回路
１０…指令信号切換えスイッチ
１１…電力増幅回路
１２…モータ
１３…速度検出器
１４…速度信号演算回路
１６…位置検出器
１７…位置信号演算回路
１９…プリセット動作表示器
２０…ファストポジションプリセットズームスイッチ
２１…メモリポジションプリセットズームスイッチ
２２…スピードプリセットズームスイッチ
２３…ブーメランズームスイッチ
２４…メモリスイッチ
２５…位置メモリスイッチ
２６…速度メモリスイッチ
２７…方向メモリスイッチ
【図１】
0003673787.tif 000002
【図２】
0003673787.tif 000003
【図３】
0003673787.tif 000004
【図４】
0003673787.tif 000005
【図５】
0003673787.tif 000006
【図６】
0003673787.tif 000007
【図７】
0003673787.tif 000008
【図８】
0003673787.tif 000009
【図９】
0003673787.tif 000010
【図１０】
0003673787.tif 000011
【図１１】
0003673787.tif 000012
【図１２】
0003673787.tif 000013
【図１３】
0003673787.tif 000014
【図１４】
0003673787.tif 000015